(57)【要約】【課題】給湯器を壁に取付ける際に、作業者が転落することを防止する。【解決手段】給湯器の取付部構造は、内部において燃料を燃焼させることで熱交換器を通過する水を温める給湯器本体１４を有する給湯器１２と、建物の壁１０に設けられ、給湯器本体１４が取付けられる被取付部１０Ａと、を備えている。給湯器の取付部構造は、壁１０における被取付部１０Ａの周囲に固定され、安全帯２４のフック２４Ａを係止可能なアンカーボルト２０及びアイナット２２を備えている。【選択図】図５
2019219152.tif 000002
【特許請求の範囲】
【請求項１】
内部において燃料を燃焼させることで熱交換器を通過する水を温める給湯器本体を有する給湯器と、
建物の壁又は建物に固定された支持部材に設けられ、前記給湯器本体が取付けられる被取付部と、
前記壁における前記被取付部の周囲に固定され、一部が作業者につながれた規制部材を係止可能な係止部と、
を備えた給湯器の取付部構造。
【請求項２】
前記給湯器は、前記給湯器本体に接続された配管をカバーする配管カバーを含んで構成され、
前記壁において前記配管カバーに覆われる位置に前記係止部が固定されている請求項１記載の給湯器の取付部構造。
【請求項３】
前記係止部は、前記壁に固定される壁固定部と、該壁固定部に着脱可能に係合され前記規制部材が係止される係止部本体と、を含んで構成されている請求項１又は請求項２記載の給湯器の取付部構造。
【請求項４】
内部において燃料を燃焼させることで熱交換器を通過する水を温める給湯器本体を有する給湯器を建物の壁又は建物に固定された支持部材に取付ける給湯器の取付方法であって、
前記壁又は前記支持部材に設けられた被取付部の周囲に固定された係止部に一部が作業者につながれた規制部材を係止する係止工程と、
前記規制部材を前記係止部に係止した状態で、前記給湯器本体を前記被取付部に取付ける給湯器本体取付工程と、
を有する給湯器の取付方法。
【請求項５】
前記給湯器本体に接続された配管をカバーする配管カバーを有する給湯器を建物の壁又は建物に固定された支持部材に取付ける給湯器の取付方法であって、
前記給湯器本体取付工程を経た後に、前記配管カバーを前記給湯器本体に取り付けることで、前記係止部が前記配管カバーに覆われる配管カバー取付工程を有する請求項４記載の給湯器の取付方法。
【請求項６】
前記係止部は、前記壁に固定される壁固定部と、該壁固定部に着脱可能に係合され前記規制部材が係止可能な係止部本体と、を含んで構成され、
前記係止工程において、前記壁固定部に前記係止部本体を係合させた後に、前記係止部本体に前記規制部材を係止させる請求項４又は請求項５記載の給湯器の取付方法。
【請求項７】
内部において燃料を燃焼させることで熱交換器を通過する水を温める給湯器本体を有する給湯器を建物の壁又は建物に固定された支持部材から取外す給湯器の取外方法であって、
前記壁又は前記支持部材に設けられた被取付部の周囲に固定された係止部に一部が作業者につながれた規制部材を係止する係止工程と、
前記規制部材を前記係止部に係止した状態で、前記給湯器本体を前記被取付部から取外す給湯器本体取外工程と、
を有する給湯器の取外方法。
【請求項８】
前記係止部は、前記壁に固定される壁固定部と、該壁固定部に着脱可能に係合され前記規制部材が係止可能な係止部本体と、を含んで構成され、
前記係止工程において、前記壁固定部に前記係止部本体を係合させた後に、前記係止部本体に前記規制部材を係止させる請求項７記載の給湯器の取外方法。
【請求項９】
建物の壁又は建物に固定された支持部材に取付けられ、燃料を燃焼させることで熱交換器を通過する水を温める給湯器本体を有する給湯器のメンテナンス方法であって、
前記壁又は前記支持部材に設けられた被取付部の周囲に固定された係止部に一部が作業者につながれた規制部材を係止する係止工程と、
前記規制部材を前記係止部に係止した状態で、前記給湯器本体及び該給湯器本体に接続された配管のメンテナンスを行うメンテナンス工程と、
を有する給湯器のメンテナンス方法。
【請求項１０】
前記給湯器は、前記配管をカバーすると共に前記係止部が内部に配置された配管カバーを有し、
前記配管カバーの一部又は全部を前記給湯器本体から取外した後に、前記係止工程を経る請求項９記載の給湯器のメンテナンス方法。
【請求項１１】
前記係止部は、前記壁に固定される壁固定部と、該壁固定部に着脱可能に係合され前記規制部材が係止可能な係止部本体と、を含んで構成され、
前記係止工程において、前記壁固定部に前記係止部本体を係合させた後に、前記係止部本体に前記規制部材を係止させる請求項９又は請求項１０記載の給湯器のメンテナンス方法。
【発明の詳細な説明】
【技術分野】
【０００１】
本発明は、給湯器の取付部構造及び給湯器の取付方法、並びに、給湯器の取外方法及び給湯器のメンテナンス方法に関する。
【背景技術】
【０００２】
下記特許文献１には、壁（壁パネル）に取付けられる給湯器が開示されている。この文献に記載された給湯器は、その内部においてガスを燃焼させることで熱交換器を通過する水を温める給湯器本体と、給湯器本体に接続された配管等を覆う配管カバーと、を含んで構成されている。そして、この給湯器は、給湯器本体が壁に固定され、次いで配管カバーが給湯器本体及び壁に固定されることで、壁に取付けられるようになっている。
【先行技術文献】
【特許文献】
【０００３】
【特許文献１】特開平９−４９３０号公報
【発明の概要】
【発明が解決しようとする課題】
【０００４】
ところで、高所の壁や支持部材に給湯器を取付ける又は取外す場合、給湯器をメンテナンスする場合、作業者が転落することを防止することが必要である。
【０００５】
本発明は上記事実を考慮し、給湯器を壁や支持部材に取付ける又は取外す際に、また給湯器をメンテナンスする際に、作業者が転落することを防止することができる給湯器の取付部構造及び給湯器の取付方法、並びに、給湯器の取外方法及び給湯器のメンテナンス方法を得ることが目的である。
【課題を解決するための手段】
【０００６】
請求項１記載の給湯器の取付部構造は、内部において燃料を燃焼させることで熱交換器を通過する水を温める給湯器本体を有する給湯器と、建物の壁又は建物に固定された支持部材に設けられ、前記給湯器本体が取付けられる被取付部と、前記壁における前記被取付部の周囲に固定され、一部が作業者につながれた規制部材を係止可能な係止部と、を備えている。
【０００７】
請求項１記載の給湯器の取付部構造によれば、作業者が、規制部材を係止部に係止した状態で、給湯器の給湯器本体を壁又は建物に固定された支持部材の被取付部に取付ける又は取外すことができる。これにより、重量物である給湯器本体を被取付部に取付ける又は取外す際に、作業者がバランスを崩したとしても、作業者の移動距離が規制部材によって制限される。その結果、作業者が転落することを防止することができる。
【０００８】
請求項２記載の給湯器の取付部構造は、請求項１記載の給湯器の取付部構造において、前記給湯器は、前記給湯器本体に接続された配管をカバーする配管カバーを含んで構成され、前記壁において前記配管カバーに覆われる位置に前記係止部が固定されている。
【０００９】
請求項２記載の給湯器の取付部構造によれば、壁において配管カバーに覆われる位置に係止部が固定されている。これにより、建築物の意匠が係止部によって損なわれることを防止することができる。
【００１０】
請求項３記載の給湯器の取付部構造は、請求項１又は請求項２記載の給湯器の取付部構造において、前記係止部は、前記壁に固定される壁固定部と、該壁固定部に着脱可能に係合され前記規制部材が係止される係止部本体と、を含んで構成されている。
【００１１】
請求項３記載の給湯器の取付部構造によれば、係止部が、壁に固定される壁固定部と、壁固定部に着脱可能に係合される係止部本体と、を含んで構成されている。当該構成では、係止部本体と対応する部分と一体化された係止部を壁に固定した場合と比べて、低コスト化を図ることができる。
【００１２】
請求項４記載の給湯器の取付方法は、内部において燃料を燃焼させることで熱交換器を通過する水を温める給湯器本体を有する給湯器を建物の壁又は建物に固定された支持部材に取付ける給湯器の取付方法であって、前記壁又は前記支持部材に設けられた被取付部の周囲に固定された係止部に一部が作業者につながれた規制部材を係止する係止工程と、前記規制部材を前記係止部に係止した状態で、前記給湯器本体を前記被取付部に取付ける給湯器本体取付工程と、を有する。
【００１３】
請求項４記載の給湯器の取付方法によれば、作業者が壁又は建物に固定された支持部材に設けられた被取付部の周囲に固定された係止部に規制部材を係止する（係止工程）。次いで、規制部材を係止部に係止した状態で、給湯器本体を被取付部に取付ける（給湯器本体取付工程）。ここで、重量物である給湯器本体を被取付部に取付ける際に、作業者がバランスを崩したとしても、作業者の移動距離が規制部材によって制限される。その結果、作業者が転落することを防止することができる。
【００１４】
請求項５記載の給湯器の取付方法は、請求項４記載の給湯器の取付方法において、前記給湯器本体に接続された配管をカバーする配管カバーを有する給湯器を建物の壁又は建物に固定された支持部材に取付ける給湯器の取付方法であって、前記給湯器本体取付工程を経た後に、前記配管カバーを前記給湯器本体に取り付けることで、前記係止部が前記配管カバーに覆われる配管カバー取付工程を有する。
【００１５】
請求項５記載の給湯器の取付方法によれば、給湯器本体取付工程を経た後に、配管カバーを給湯器本体に取り付ける（配管カバー取付工程）。これにより、係止部が配管カバーに覆われる。その結果、建築物の意匠が係止部によって損なわれることを防止することができる。
【００１６】
請求項６記載の給湯器の取付方法は、請求項４又は請求項５記載の給湯器の取付方法において、前記係止部は、前記壁に固定される壁固定部と、該壁固定部に着脱可能に係合され前記規制部材が係止可能な係止部本体と、を含んで構成され、前記係止工程において、前記壁固定部に前記係止部本体を係合させた後に、前記係止部本体に前記規制部材を係止させる。
【００１７】
請求項６記載の給湯器の取付方法によれば、作業者は、壁に固定された壁固定部に係止部本体を係合させた後に、係止部本体に規制部材を係止させる。当該構成では、係止部本体と対応する部分と一体化された係止部を壁に固定した場合と比べて、低コスト化を図ることができる。
【００１８】
請求項７記載の給湯器の取外方法は、内部において燃料を燃焼させることで熱交換器を通過する水を温める給湯器本体を有する給湯器を建物の壁又は建物に固定された支持部材から取外す給湯器の取外方法であって、前記壁又は前記支持部材に設けられた被取付部の周囲に固定された係止部に一部が作業者につながれた規制部材を係止する係止工程と、前記規制部材を前記係止部に係止した状態で、前記給湯器本体を前記被取付部から取外す給湯器本体取外工程と、を有する。
【００１９】
請求項７記載の給湯器の取外方法によれば、作業者が壁又は建物に固定された支持部材に設けられた被取付部の周囲に固定された係止部に規制部材を係止する（係止工程）。次いで、規制部材を係止部に係止した状態で、給湯器本体を被取付部から取外す（給湯器本体取外工程）。ここで、重量物である給湯器本体を被取付部から取外す際に、作業者がバランスを崩したとしても、作業者の移動距離が規制部材によって制限される。その結果、作業者が転落することを防止することができる。
【００２０】
請求項８記載の給湯器の取外方法は、請求項７記載の給湯器の取外方法において、前記係止部は、前記壁に固定される壁固定部と、該壁固定部に着脱可能に係合され前記規制部材が係止可能な係止部本体と、を含んで構成され、前記係止工程において、前記壁固定部に前記係止部本体を係合させた後に、前記係止部本体に前記規制部材を係止させる。
【００２１】
請求項８記載の給湯器の取外方法によれば、作業者は、壁に固定された壁固定部に係止部本体を係合させた後に、係止部本体に規制部材を係止させる。当該構成では、係止部本体と対応する部分と一体化された係止部を壁に固定した場合と比べて、低コスト化を図ることができる。
【００２２】
請求項９記載の給湯器のメンテナンス方法は、建物の壁又は建物に固定された支持部材に取付けられ、燃料を燃焼させることで熱交換器を通過する水を温める給湯器本体を有する給湯器のメンテナンス方法であって、前記壁又は前記支持部材に設けられた被取付部の周囲に固定された係止部に一部が作業者につながれた規制部材を係止する係止工程と、前記規制部材を前記係止部に係止した状態で、前記給湯器本体及び該給湯器本体に接続された配管のメンテナンスを行うメンテナンス工程と、を有する。
【００２３】
請求項９記載の給湯器のメンテナンス方法によれば、作業者が壁又は建物に固定された支持部材に設けられた被取付部の周囲に固定された係止部に規制部材を係止する（係止工程）。次いで、規制部材を係止部に係止した状態で、給湯器本体及び給湯器本体に接続された配管のメンテナンスを行う（メンテナンス工程）。ここで、メンテナンス時に作業者がバランスを崩したとしても、作業者の移動距離が規制部材によって制限される。その結果、作業者が転落することを防止することができる。
【００２４】
請求項１０記載の給湯器のメンテナンス方法は、請求項９記載の給湯器のメンテナンス方法において、前記給湯器は、前記配管をカバーすると共に前記係止部が内部に配置された配管カバーを有し、前記配管カバーの一部又は全部を前記給湯器本体から取外した後に、前記係止工程を経る。
【００２５】
請求項１０記載の給湯器のメンテナンス方法によれば、係止部が配管カバーに覆われる位置に設けられている。その結果、建築物の意匠が係止部によって損なわれることを防止することができる。
【００２６】
請求項１１記載の給湯器のメンテナンス方法は、請求項９又は請求項１０記載の給湯器のメンテナンス方法において、前記係止部は、前記壁に固定される壁固定部と、該壁固定部に着脱可能に係合され前記規制部材が係止可能な係止部本体と、を含んで構成され、前記係止工程において、前記壁固定部に前記係止部本体を係合させた後に、前記係止部本体に前記規制部材を係止させる。
【００２７】
請求項１１記載の給湯器のメンテナンス方法によれば、作業者は、壁に固定された壁固定部に係止部本体を係合させた後に、係止部本体に規制部材を係止させる。当該構成では、係止部本体と対応する部分と一体化された係止部を壁に固定した場合と比べて、低コスト化を図ることができる。
【発明の効果】
【００２８】
本発明に係る給湯器の取付部構造及び給湯器の取付方法、並びに、給湯器の取外方法及び給湯器のメンテナンス方法は、給湯器を壁や支持部材に取付ける又は取外す際に、作業者が転落することを防止することができる、という優れた効果を有する。
【図面の簡単な説明】
【００２９】
【図１】給湯器が取付けられた建物の一部を示す斜視図である。
【図２】給湯器が取付けられた建物の一部を示す正面図である。
【図３】図２に示された３−３線に沿って切断した壁等の断面を示す拡大断面図である。
【図４】アイナット示す側面図である。
【図５】給湯器の取付工程の一部を示す模式図である。
【発明を実施するための形態】
【００３０】
図１〜図４を用いて、本発明の実施形態に係る給湯器の取付部構造について説明する。
【００３１】
図１及び図２には、マンションのベランダやバルコニーの壁１０に取付けられた給湯器１２が示されている。これらの図に示されるように、給湯器１２は、内部において燃料であるガスを燃焼させることで熱交換器を通過する水を温める給湯器本体１４と、給湯器本体１４に接続された配管１６をカバーする配管カバー１８と、を備えている。
【００３２】
給湯器本体１４は、上下方向（建物の高さ方向）を長手方向とする箱状に形成されている。この給湯器本体１４の前面１４Ａ（壁１０とは反対側の面）の上部には、燃料が燃焼することにより生じた燃焼ガスが排出される排出孔１４Ｂが設けられている。また、給湯器本体１４の後面１４Ｃ（壁１０側の面）は、壁１０に沿って配置された状態で当該壁１０に接合され（取付けられ）ている。なお、壁１０において給湯器本体１４の後面１４Ｃと対向する部分は、給湯器本体１４が取付けられる被取付部１０Ａとなっている。図２に示されるように、給湯器本体１４の下面１４Ｄ（下側の面）からは、配管１６が接続される配管接続部１４Ｅが下方側へ向けて突出している。
【００３３】
配管カバー１８は、上方側及び壁１０側が開放された箱状に形成されている。この配管カバー１８の一部が給湯器本体１４の下部に固定されると共に、配管カバー１８の他の一部が壁１０に固定されることで、給湯器本体１４の配管接続部１４Ｅに接続された配管１６等が配管カバー１８によって覆われるようになっている。
【００３４】
図２及び図３に示されるように、壁１０における被取付部１０Ａの周囲には、係止部及び壁固定部としてのアンカーボルト２０が固定されている。本実施形態では、壁１０における被取付部１０Ａの下方側かつ配管カバー１８に覆われる部位にアンカーボルト２０が固定されている。図３に示されるように、アンカーボルト２０は、壁１０に形成された孔１０Ｂ内に配置される埋設部２０Ａと、壁１０から突出していると共に後述するアイナット２２（図４参照）が螺合する雄ネジ部２０Ｂが外周部に形成された突出部２０Ｃと、を備えている。なお、アンカーボルト２０の埋設部２０Ａが、壁１０に形成された孔１０Ｂに挿入された状態で、突出部２０Ｃの先端側のピン２０Ｄが埋設部２０Ａ側へ打ち込まれることで、埋設部２０Ａが拡径するようになっている。これにより、拡径された埋設部２０Ａが孔１０Ｂから抜け出さないようになっている。ここで、アンカーボルト２０は、給湯器本体１４が壁１０の被取付部１０Ａに取付けられる前に壁１０に固定される。また、アンカーボルト２０は、給湯器本体１４の配管接続部１４Ｅに接続された配管１６と干渉しない位置に配置されている。
【００３５】
以上説明したアンカーボルト２０の雄ネジ部２０Ｂには、係止部及び係止部本体としてのアイナット２２（図４参照）が螺合する。図４に示されるように、このアイナット２２は、環状に形成された環状部２２Ａと、環状部２２Ａと一体に形成されていると共に筒状に形成された筒状部２２Ｂと、を備えている。筒状部２２Ｂの内周部には、アンカーボルト２０の雄ネジ部２０Ｂと螺合する雌ネジ部２２Ｃが形成されている。
【００３６】
（本実施形態の作用並びに効果）
次に、本実施形態の作用並びに効果について説明する。
【００３７】
本実施形態の給湯器の取付部構造が適用される壁１０では、以下の手順により給湯器１２を取付けることができる。
【００３８】
図３、図４及び図５に示されるように、先ず、作業者Ｐが、壁１０に固定されたアンカーボルト２０の雄ネジ部２０Ｂにアイナット２２の雌ネジ部２２Ｃを螺合させる。これにより、アイナット２２がアンカーボルト２０を介して壁１０に固定される。
【００３９】
次に、作業者Ｐは、アイナット２２の環状部２２Ａに規制部材としての安全帯２４のフック２４Ａを係止させる（係止工程）。なお、安全帯２４は、作業者Ｐの腰部Ｐ１に装着される（つながれる）ベルト２４Ｂと、フック２４Ａと、ベルト２４Ｂとフック２４Ａとをつなぐ接続部２４Ｃと、を含んで構成されている。なお、安全帯２４に変えて、ロープや鎖等の紐状体を用いることもできる。
【００４０】
次に、安全帯２４のフック２４Ａをアイナット２２の環状部２２Ａに係止した状態で、給湯器本体１４を壁１０の被取付部１０Ａに取付ける（給湯器本体取付工程）。ここで、重量物である給湯器本体１４を壁１０の被取付部１０Ａに取付ける際に、作業者Ｐがバランスを崩したとしても、作業者Ｐの壁１０に対する移動距離が安全帯２４によって制限される。その結果、作業者Ｐがマンションのベランダやバルコニーから転落することを防止することができる。ここで、安全帯２４の接続部２４Ｃの長さは、作業者Ｐが転落する位置に達しない長さとする。これにより、作業者Ｐの落下荷重がアンカーボルト２０及びアイナット２２に入力されないため、より小型及び低強度のアンカーボルト２０及びアイナット２２を使用することができる。
【００４１】
次に、作業者Ｐは、各配管１６を配管接続部１４Ｅに接続する（配管接続工程）。そして、配管カバー１８の一部を給湯器本体１４の下部に固定すると共に、配管カバー１８の他の一部を壁１０に固定する（配管カバー取付工程）。
【００４２】
以上の工程を経て給湯器１２が壁１０に取付けられる。
【００４３】
また、以下の工程を経て給湯器１２を壁１０から取外すことができる。
【００４４】
先ず、作業者Ｐが、配管カバー１８を取外す（配管カバー取外工程）。
【００４５】
次に、壁１０に固定されたアンカーボルト２０の雄ネジ部２０Ｂにアイナット２２の雌ネジ部２２Ｃを螺合させる。これにより、アイナット２２がアンカーボルト２０を介して壁１０に固定される。次に、作業者Ｐは、アイナット２２の環状部２２Ａに安全帯２４のフック２４Ａを係止させる（係止工程）。なお、配管カバー１８にメンテナンス用の蓋が設けられている場合には、このメンテナンス用の蓋を取外した後に、上記係止工程を経る手順としてもよい。すなわち、上記係止工程を経た後に上記配管カバー取外工程を経る手順としてもよい。
【００４６】
次に、安全帯２４のフック２４Ａをアイナット２２の環状部２２Ａに係止した状態で、給湯器本体１４を壁１０の被取付部１０Ａから取外す（給湯器本体取外工程）。ここで、重量物である給湯器本体１４を壁１０の被取付部１０Ａから取外す際に、作業者Ｐがバランスを崩したとしても、作業者Ｐの壁１０に対する移動距離が安全帯２４によって制限される。その結果、作業者Ｐがマンションのベランダやバルコニーから転落することを防止することができる。
【００４７】
さらに、以下の工程により給湯器１２のメンテナンスを行うことができる。
【００４８】
先ず、作業者Ｐが、配管カバー１８を取外す（配管カバー取外工程）。
【００４９】
次に、壁１０に固定されたアンカーボルト２０の雄ネジ部２０Ｂにアイナット２２の雌ネジ部２２Ｃを螺合させる。これにより、アイナット２２がアンカーボルト２０を介して壁１０に固定される。次に、作業者Ｐは、アイナット２２の環状部２２Ａに安全帯２４のフック２４Ａを係止させる（係止工程）。なお、配管カバー１８にメンテナンス用の蓋が設けられている場合には、このメンテナンス用の蓋を取外した後に、上記係止工程を経る手順としてもよい。すなわち、上記係止工程を経た後に上記配管カバー取外工程を経る手順としてもよい。
【００５０】
次に、安全帯２４のフック２４Ａをアイナット２２の環状部２２Ａに係止した状態で、給湯器本体１４や給湯器本体１４に接続された配管１６等のメンテナンスを行う（メンテナンス工程）。ここで、メンテナンス時に作業者Ｐがバランスを崩したとしても、作業者Ｐの壁１０に対する移動距離が安全帯２４によって制限される。その結果、作業者Ｐがマンションのベランダやバルコニーから転落することを防止することができる。
【００５１】
本実施形態では、壁１０において配管カバー１８に覆われる位置にアンカーボルト２０が固定されている。これにより、壁１０の美観がアンカーボルト２０によって損なわれることを防止することができる。
【００５２】
また、本実施形態では、壁１０に固定されたアンカーボルト２０にアイナット２２が着脱可能に取付けられる構成となっている。当該構成では、アイナット２２と対応する部分と一体化されたアンカーボルト２０（アイボルト等）を壁１０に固定した場合と比べて、低コスト化を図ることができる。
【００５３】
なお、本実施形態では、壁１０に固定されたアンカーボルト２０にアイナット２２が着脱可能に取付けられる構成について説明したが、本発明はこれに限定されない。例えば、作業者Ｐにアイナット２２を携帯させない場合においては、アイボルト等を壁１０に固定してもよい。
【００５４】
また、本実施形態では、壁１０において配管カバー１８に覆われる位置にアンカーボルト２０を固定した例について説明したが、本発明はこれに限定されない。アンカーボルト２０等の安全帯２４のフック２４Ａを係止させるための部材は、壁１０において給湯器本体１４が取り付けられる部分（被取付部１０Ａ）の周囲に設けられていればよい。
【００５５】
さらに、本実施形態では、給湯器本体１４が取付けられる被取付部１０Ａを壁１０に設けた例について説明したが、本発明はこれに限定されない。例えば、給湯器本体１４が取付けられる被取付部１０Ａを建物に固定された支持鋼材等の支持部材に設けてもよい。
【００５６】
以上、本発明の一実施形態について説明したが、本発明は、上記に限定されるものでなく、その主旨を逸脱しない範囲内において上記以外にも種々変形して実施することが可能であることは勿論である。
【符号の説明】
【００５７】
１０   壁
１０Ａ 被取付部
１２   給湯器
１４   給湯器本体
１６   配管
１８   配管カバー
２０   アンカーボルト（係止部、壁固定部）
２２   アイナット（係止部、係止部本体）
２４   安全帯（規制部材）
【図１】
2019219152.tif 000003
【図２】
2019219152.tif 000004
【図３】
2019219152.tif 000005
【図４】
2019219152.tif 000006
【図５】
2019219152.tif 000007
【手続補正書】
【提出日】平成30年12月28日(2018.12.28)
【手続補正１】
【補正対象書類名】明細書
【補正対象項目名】０００６
【補正方法】変更
【補正の内容】
【０００６】
請求項１記載の給湯器の取付部構造は、内部において燃料を燃焼させることで熱交換器を通過する水を温める給湯器本体を有する給湯器と、建物の壁又は建物に固定された支持部材に設けられ、前記給湯器本体が取付けられる被取付部と、前記壁における前記被取付部の周囲に固定され、一部が作業者につながれた規制部材を係止可能な係止部と、を備え、前記給湯器は、前記給湯器本体に接続された配管をカバーする配管カバーを含んで構成され、前記壁において前記配管カバーに覆われる位置に前記係止部が固定されている。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
また、請求項１記載の給湯器の取付部構造によれば、壁において配管カバーに覆われる位置に係止部が固定されている。これにより、建築物の意匠が係止部によって損なわれることを防止することができる。
【手続補正４】
【補正対象書類名】明細書
【補正対象項目名】００１０
【補正方法】変更
【補正の内容】
【００１０】
請求項２記載の給湯器の取付部構造は、請求項１記載の給湯器の取付部構造において、前記係止部は、前記壁に固定される壁固定部と、該壁固定部に着脱可能に係合され前記規制部材が係止される係止部本体と、を含んで構成されている。
【手続補正５】
【補正対象書類名】明細書
【補正対象項目名】００１１
【補正方法】変更
【補正の内容】
【００１１】
請求項２記載の給湯器の取付部構造によれば、係止部が、壁に固定される壁固定部と、壁固定部に着脱可能に係合される係止部本体と、を含んで構成されている。当該構成では、係止部本体と対応する部分と一体化された係止部を壁に固定した場合と比べて、低コスト化を図ることができる。
【手続補正６】
【補正対象書類名】明細書
【補正対象項目名】００１２
【補正方法】変更
【補正の内容】
【００１２】
請求項３記載の給湯器の取付方法は、内部において燃料を燃焼させることで熱交換器を通過する水を温める給湯器本体と、前記給湯器本体に接続された配管をカバーする配管カバーと、を有する給湯器を建物の壁又は建物に固定された支持部材に取付ける給湯器の取付方法であって、前記壁又は前記支持部材に設けられた被取付部の周囲に固定された係止部に一部が作業者につながれた規制部材を係止する係止工程と、前記規制部材を前記係止部に係止した状態で、前記給湯器本体を前記被取付部に取付ける給湯器本体取付工程と、を有し、前記給湯器本体取付工程を経た後に、前記規制部材を前記係止部から外して、前記配管カバーを前記給湯器本体に取り付けることで、前記係止部が前記配管カバーに覆われる配管カバー取付工程を有する。
【手続補正７】
【補正対象書類名】明細書
【補正対象項目名】００１３
【補正方法】変更
【補正の内容】
【００１３】
請求項３記載の給湯器の取付方法によれば、作業者が壁又は建物に固定された支持部材に設けられた被取付部の周囲に固定された係止部に規制部材を係止する（係止工程）。次いで、規制部材を係止部に係止した状態で、給湯器本体を被取付部に取付ける（給湯器本体取付工程）。ここで、重量物である給湯器本体を被取付部に取付ける際に、作業者がバランスを崩したとしても、作業者の移動距離が規制部材によって制限される。その結果、作業者が転落することを防止することができる。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
また、請求項３記載の給湯器の取付方法によれば、給湯器本体取付工程を経た後に、配管カバーを給湯器本体に取り付ける（配管カバー取付工程）。これにより、係止部が配管カバーに覆われる。その結果、建築物の意匠が係止部によって損なわれることを防止することができる。
【手続補正１０】
【補正対象書類名】明細書
【補正対象項目名】００１６
【補正方法】変更
【補正の内容】
【００１６】
請求項４記載の給湯器の取付方法は、請求項３記載の給湯器の取付方法において、前記係止部は、前記壁に固定される壁固定部と、該壁固定部に着脱可能に係合され前記規制部材が係止可能な係止部本体と、を含んで構成され、前記係止工程において、前記壁固定部に前記係止部本体を係合させた後に、前記係止部本体に前記規制部材を係止させる。
【手続補正１１】
【補正対象書類名】明細書
【補正対象項目名】００１７
【補正方法】変更
【補正の内容】
【００１７】
請求項４記載の給湯器の取付方法によれば、作業者は、壁に固定された壁固定部に係止部本体を係合させた後に、係止部本体に規制部材を係止させる。当該構成では、係止部本体と対応する部分と一体化された係止部を壁に固定した場合と比べて、低コスト化を図ることができる。
【手続補正１２】
【補正対象書類名】明細書
【補正対象項目名】００１８
【補正方法】変更
【補正の内容】
【００１８】
請求項５記載の給湯器の取外方法は、建物の壁又は建物に固定された支持部材に設けられた被取付部に取付けられ、内部において燃料を燃焼させることで熱交換器を通過する水を温める給湯器本体と、前記給湯器本体に接続された配管をカバーすると共に前記壁に固定された係止部が内部に配置された配管カバーと、を有する給湯器を建物の壁又は建物に固定された支持部材から取外す給湯器の取外方法であって、前記配管カバーの一部又は全部を前記給湯器本体から取外した後に、前記係止部に一部が作業者につながれた規制部材を係止する係止工程と、前記規制部材を前記係止部に係止した状態で、前記給湯器本体を前記被取付部から取外す給湯器本体取外工程と、を有する。
【手続補正１３】
【補正対象書類名】明細書
【補正対象項目名】００１９
【補正方法】変更
【補正の内容】
【００１９】
請求項５記載の給湯器の取外方法によれば、作業者が壁又は建物に固定された支持部材に設けられた被取付部の周囲に固定された係止部に規制部材を係止する（係止工程）。次いで、規制部材を係止部に係止した状態で、給湯器本体を被取付部から取外す（給湯器本体取外工程）。ここで、重量物である給湯器本体を被取付部から取外す際に、作業者がバランスを崩したとしても、作業者の移動距離が規制部材によって制限される。その結果、作業者が転落することを防止することができる。
【手続補正１４】
【補正対象書類名】明細書
【補正対象項目名】００２０
【補正方法】変更
【補正の内容】
【００２０】
請求項６記載の給湯器の取外方法は、請求項５記載の給湯器の取外方法において、前記係止部は、前記壁に固定される壁固定部と、該壁固定部に着脱可能に係合され前記規制部材が係止可能な係止部本体と、を含んで構成され、前記係止工程において、前記壁固定部に前記係止部本体を係合させた後に、前記係止部本体に前記規制部材を係止させる。
【手続補正１５】
【補正対象書類名】明細書
【補正対象項目名】００２１
【補正方法】変更
【補正の内容】
【００２１】
請求項６記載の給湯器の取外方法によれば、作業者は、壁に固定された壁固定部に係止部本体を係合させた後に、係止部本体に規制部材を係止させる。当該構成では、係止部本体と対応する部分と一体化された係止部を壁に固定した場合と比べて、低コスト化を図ることができる。
【手続補正１６】
【補正対象書類名】明細書
【補正対象項目名】００２２
【補正方法】変更
【補正の内容】
【００２２】
請求項７記載の給湯器のメンテナンス方法は、建物の壁又は建物に固定された支持部材に設けられた被取付部に取付けられ、燃料を燃焼させることで熱交換器を通過する水を温める給湯器本体と、前記給湯器本体に接続された配管をカバーすると共に前記壁に固定された係止部が内部に配置された配管カバーと、を有する給湯器のメンテナンス方法であって、前記配管カバーの一部又は全部を前記給湯器本体から取外した後に、前記係止部に一部が作業者につながれた規制部材を係止する係止工程と、前記規制部材を前記係止部に係止した状態で、前記給湯器本体及び該給湯器本体に接続された配管のメンテナンスを行うメンテナンス工程と、を有する。
【手続補正１７】
【補正対象書類名】明細書
【補正対象項目名】００２３
【補正方法】変更
【補正の内容】
【００２３】
請求項７記載の給湯器のメンテナンス方法によれば、作業者が壁又は建物に固定された支持部材に設けられた被取付部の周囲に固定された係止部に規制部材を係止する（係止工程）。次いで、規制部材を係止部に係止した状態で、給湯器本体及び給湯器本体に接続された配管のメンテナンスを行う（メンテナンス工程）。ここで、メンテナンス時に作業者がバランスを崩したとしても、作業者の移動距離が規制部材によって制限される。その結果、作業者が転落することを防止することができる。
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】変更
【補正の内容】
【００２５】
また、請求項７記載の給湯器のメンテナンス方法によれば、係止部が配管カバーに覆われる位置に設けられている。その結果、建築物の意匠が係止部によって損なわれることを防止することができる。
【手続補正２０】
【補正対象書類名】明細書
【補正対象項目名】００２６
【補正方法】変更
【補正の内容】
【００２６】
請求項８記載の給湯器のメンテナンス方法は、請求項７記載の給湯器のメンテナンス方法において、前記係止部は、前記壁に固定される壁固定部と、該壁固定部に着脱可能に係合され前記規制部材が係止可能な係止部本体と、を含んで構成され、前記係止工程において、前記壁固定部に前記係止部本体を係合させた後に、前記係止部本体に前記規制部材を係止させる。
【手続補正２１】
【補正対象書類名】明細書
【補正対象項目名】００２７
【補正方法】変更
【補正の内容】
【００２７】
請求項８記載の給湯器のメンテナンス方法によれば、作業者は、壁に固定された壁固定部に係止部本体を係合させた後に、係止部本体に規制部材を係止させる。当該構成では、係止部本体と対応する部分と一体化された係止部を壁に固定した場合と比べて、低コスト化を図ることができる。
【手続補正２２】
【補正対象書類名】特許請求の範囲
【補正対象項目名】全文
【補正方法】変更
【補正の内容】
【特許請求の範囲】
【請求項１】
内部において燃料を燃焼させることで熱交換器を通過する水を温める給湯器本体を有する給湯器と、
建物の壁又は建物に固定された支持部材に設けられ、前記給湯器本体が取付けられる被取付部と、
前記壁における前記被取付部の周囲に固定され、一部が作業者につながれた規制部材を係止可能な係止部と、
を備え、
前記給湯器は、前記給湯器本体に接続された配管をカバーする配管カバーを含んで構成され、
前記壁において前記配管カバーに覆われる位置に前記係止部が固定されている給湯器の取付部構造。
【請求項２】
前記係止部は、前記壁に固定される壁固定部と、該壁固定部に着脱可能に係合され前記規制部材が係止される係止部本体と、を含んで構成されている請求項１記載の給湯器の取付部構造。
【請求項３】
内部において燃料を燃焼させることで熱交換器を通過する水を温める給湯器本体と、前記給湯器本体に接続された配管をカバーする配管カバーと、を有する給湯器を建物の壁又は建物に固定された支持部材に取付ける給湯器の取付方法であって、
前記壁又は前記支持部材に設けられた被取付部の周囲に固定された係止部に一部が作業者につながれた規制部材を係止する係止工程と、
前記規制部材を前記係止部に係止した状態で、前記給湯器本体を前記被取付部に取付ける給湯器本体取付工程と、
を有し、
前記給湯器本体取付工程を経た後に、前記規制部材を前記係止部から外して、前記配管カバーを前記給湯器本体に取り付けることで、前記係止部が前記配管カバーに覆われる配管カバー取付工程を有する給湯器の取付方法。
【請求項４】
前記係止部は、前記壁に固定される壁固定部と、該壁固定部に着脱可能に係合され前記規制部材が係止可能な係止部本体と、を含んで構成され、
前記係止工程において、前記壁固定部に前記係止部本体を係合させた後に、前記係止部本体に前記規制部材を係止させる請求項３記載の給湯器の取付方法。
【請求項５】
建物の壁又は建物に固定された支持部材に設けられた被取付部に取付けられ、内部において燃料を燃焼させることで熱交換器を通過する水を温める給湯器本体と、前記給湯器本体に接続された配管をカバーすると共に前記壁に固定された係止部が内部に配置された配管カバーと、を有する給湯器を建物の壁又は建物に固定された支持部材から取外す給湯器の取外方法であって、
前記配管カバーの一部又は全部を前記給湯器本体から取外した後に、前記係止部に一部が作業者につながれた規制部材を係止する係止工程と、
前記規制部材を前記係止部に係止した状態で、前記給湯器本体を前記被取付部から取外す給湯器本体取外工程と、
を有する給湯器の取外方法。
【請求項６】
前記係止部は、前記壁に固定される壁固定部と、該壁固定部に着脱可能に係合され前記規制部材が係止可能な係止部本体と、を含んで構成され、
前記係止工程において、前記壁固定部に前記係止部本体を係合させた後に、前記係止部本体に前記規制部材を係止させる請求項５記載の給湯器の取外方法。
【請求項７】
建物の壁又は建物に固定された支持部材に設けられた被取付部に取付けられ、燃料を燃焼させることで熱交換器を通過する水を温める給湯器本体と、前記給湯器本体に接続された配管をカバーすると共に前記壁に固定された係止部が内部に配置された配管カバーと、を有する給湯器のメンテナンス方法であって、
前記配管カバーの一部又は全部を前記給湯器本体から取外した後に、前記係止部に一部が作業者につながれた規制部材を係止する係止工程と、
前記規制部材を前記係止部に係止した状態で、前記給湯器本体及び該給湯器本体に接続された配管のメンテナンスを行うメンテナンス工程と、
を有する給湯器のメンテナンス方法。
【請求項８】
前記係止部は、前記壁に固定される壁固定部と、該壁固定部に着脱可能に係合され前記規制部材が係止可能な係止部本体と、を含んで構成され、
前記係止工程において、前記壁固定部に前記係止部本体を係合させた後に、前記係止部本体に前記規制部材を係止させる請求項７記載の給湯器のメンテナンス方法。